(57)【特許請求の範囲】
【請求項１】
プロジェクタからスクリーンに映し出された映像を用いてプレゼンタがプレゼンテーションを行うプレゼンテーションシステムであって、
プロジェクタと、
スクリーンに映し出された映像を撮影する撮影手段と、
前記撮影手段からの出力データから前記プロジェクタに入力される入力データを減算することで、プロジェクタとスクリーンとの間に存するプレゼンタの影のデータに相応する差分データを求める減算手段と、
前記減算手段により算出した差分データと前記入力データとを加算することでプロジェクタとスクリーンとの間に位置するプレゼンタのみに照射される光の輝度を低減させた加算データを出力する加算手段と、
前記加算手段から出力された加算データを用いて、プレゼンタのみに照射される光の輝度を低減させるよう前記プロジェクタの照射を制御する制御手段と、
を有することを特徴とするプレゼンテーションシステム。
【発明の詳細な説明】
【０００１】
【発明の属する技術分野】
本発明は、プロジェクタから映し出された映像を用いてプレゼンテーションを行うプレゼンテーションシステムに関する。
【０００２】
【発明が解決しようとする課題】
今日、会議などにおけるプレゼンテーションにおいては、視覚による効果を目的として、プロジェクタから映し出された映像を用いることが多い。
【０００３】
このようなプレゼンテーションに際して、プロジェクタとスクリーンとの間にプレゼンタが位置する場合が縷縷ある。
【０００４】
勿論、最近では、レーザーポインタ等が用いられていることから、プレゼンタがプロジェクタとスクリーンとの間に位置する頻度は少なくなっている。しかしながら、このような場合であっても、プレゼンタ自身が視力の悪い場合には、スクリーンに映し出された細かな映像を仔細に見る為、スクリーン近づくことは縷縷ある。この為、プロジェクタとスクリーンとの間にプレゼンタが位置するようになる。
【０００５】
このような場合、プレゼンタは、プロジェクタからの光を浴びる為、眩しくなってしまう。
【０００６】
このような問題を解決することを目的として、光源から投射光学系を介してスクリーンに映像を投射されるようになされた投射型テレビジョン受像機において、上記投射光学系から上記スクリーンへの投射領域への移動体の侵入を検知する検出手段と、該検出手段からの検出出力に基づいて上記光源の光出力を制御する制御手段とを有し、上記制御手段によって上記光源からの光出力を低減あるいは遮させてなることを特徴とする投射型テレビジョン受像機が提案（特開平４−１１１５８５号公報）されている。
【０００７】
しかしながら、この提案のものは、投射光学系からスクリーンへの投射領域への移動体（プレゼンタ）の侵入を検知する検出手段が、スクリーンの左右側面に設けられた反射部材と該反射部材に対応してプロジェクタ側に設けられた発光受光素子とで構成されている為、プレゼンタがスクリーンを横切った場合には、発光素子からの光がプレゼンタによって遮られることから、受光素子が発光素子からの光を検出できず、このような場合に光源の光出力を低減させるものに過ぎない。すなわち、前記提案のものは、プレゼンタがプロジェクタとスクリーンとの間に位置した場合、光源の光出力が低減されることから、プレゼンタにとっては、眩しさが弱められる利点が有るものの、観客側にとっては、スクリーンに映し出される映像が見難いものとなってしまう。
【０００８】
従って、本発明が解決しようとする課題は、プレゼンタがプロジェクタとスクリーンとの間に位置した場合、プレゼンタにとっては眩しさが減じられ、かつ、観客側にとっては映像を見難いものとならないプレゼンテーションシステムを提供することである。
【０００９】
【課題を解決するための手段】
前記の課題は、プロジェクタからスクリーンに映し出された映像を用いてプレゼンタがプレゼンテーションを行うプレゼンテーションシステムであって、
プロジェクタと、
スクリーンに映し出された映像を撮影する撮影手段と、
前記撮影手段からの出力データから前記プロジェクタに入力される入力データを減算することで、プロジェクタとスクリーンとの間に存するプレゼンタの影のデータに相応する差分データを求める減算手段と、
前記減算手段により算出した差分データと前記入力データとを加算することでプロジェクタとスクリーンとの間に位置するプレゼンタのみに照射される光の輝度を低減させた加算データを出力する加算手段と、
前記加算手段から出力された加算データを用いて、プレゼンタのみに照射される光の輝度を低減させるよう前記プロジェクタの照射を制御する制御手段と、
を有することを特徴とするプレゼンテーションシステムによって解決される。
【００１１】
すなわち、本発明においては、プロジェクタとスクリーンとの間にプレゼンタが位置した場合、該プレゼンタに対応する部分のみの輝度が低減されるよう構成してあるから、つまり撮影手段を設けておき、この撮影手段によってプロジェクタによって映し出されているスクリーン上の映像を撮影し、この撮影手段の撮影データとプロジェクタに入力される元データとの差を減算器などで求めれば、この差データはプロジェクタとスクリーンとの間に存するプレゼンタに対応するものと考えることが出来、この差データを用いれば、プロジェクタとスクリーンとの間に存するプレゼンタに対応する部分のみの輝度が低減されるようにプロジェクタに入力される入力データを制御手段で制御できることから、前記の課題を解決できるものとなる。
【００１２】
プロジェクタとスクリーンとの間に存するプレゼンタに対応する部分のみの輝度が低減されるように制御する手段としては、例えば減算手段からの出力データと入力データとを加算し、この加算データをプロジェクタの表示制御手段に入力手段で入力するような手法を採用できる。すなわち、このような手法が採用された場合、プロジェクタとスクリーンとの間に存するプレゼンタに対応した部分には所定のデータがあることから、この部分の輝度が結果的に低減されるものとなる。
【００１３】
【発明の実施の形態】
図１〜図３は、本発明になるプレゼンテーションシステムの実施の形態を説明する為のもので、図１は本発明の概略を説明する為のプレゼンテーションでの概略説明図、図２は本発明の要部を説明する為の説明図、図３は本発明のプレゼンテーションシステムのブロック図である。
【００１４】
先ず、図１を用いて説明する。
【００１５】
図１に示される通り、投射型プロジェクタ１からスクリーン２に映し出された映像を用いてプレゼンタ３がプレゼンテーションを行っている。この内容は、周知な事柄であるから、詳細は省略される。
【００１６】
ところで、プレゼンタ３が、図１に示される通り、スクリーン２の中央部側に移動して来ると、プロジェクタ１からの光がプレゼンタ３に照射されることになり、場合によっては、プレゼンタ３は眩しさを非常に感じるようになる。
【００１７】
この段階において、プロジェクタ１からの光を弱くすれば、眩しさは低下する。しかしながら、これに応じて、スクリーン２に映し出される映像全体のコントラストが弱まってしまい、プロジェクタ１の背後にいる観客（聴衆）はスクリーン２の全体映像が見難いものとなってしまう。
【００１８】
ところで、図１から判る通り、スクリーン２前にいるプレゼンタ３に光が照射されると、プレゼンタ３自身は眩しさを感じるのであるが、それのみでなく、背後のスクリーン２にはプレゼンタ３による影が出来ることになる。
【００１９】
従って、プロジェクタ１にカメラ（撮影手段）４を併設しておき、このカメラ４によってスクリーン２を撮影すれば、このカメラ４から出力される撮影データ（（図２中（ａ）の映像データに相応））は（プロジェクタ１に入力されたデータ（図２中（ｂ）の映像データに相応））＋（プレゼンタ３による影のデータ）であるから、（カメラ４から出力される撮影データ）−（プロジェクタ１に入力されたデータ）＝（プレゼンタ３による影のデータ（図２中（ｃ）の映像データに相応））となる。
【００２０】
すなわち、上記差分データは、プレゼンタ３がプロジェクタ１からの光を浴びた（このことが、結果的に、眩しさの原因）ことによる影のデータと言うことである。
【００２１】
よって、この差分データを用いれば、プレゼンタ３には当たらない部分の光の輝度をそのままに維持しつつ、プレゼンタ３のみに照射される光の輝度を低減できるようになる。
【００２２】
つまり、プレゼンタ３に対応する部分のみの輝度を上記差分データにより低減させる制御手段を設けておけば、プロジェクタ１とスクリーン２との間にプレゼンタ３が位置した場合、プレゼンタ３に対応する部分のみの輝度が低減されるようになる。
【００２３】
更に具体的に述べると、図３に示される如く、減算回路５、比較回路６および加算回路７を設けておき、減算回路５に（カメラ４から出力される撮影データ（（図２中（ａ）の映像データに相応））と（プロジェクタ１に入力されたデータ（図２中（ｂ）の映像データに相応））とが入力されるようにする。そうすると、減算回路５から出力されるデータは、プロジェクタ１とスクリーン２との間にプレゼンタ３が位置していない場合には、零（０）であるものの、プロジェクタ１とスクリーン２との間にプレゼンタ３が位置した場合には、プレゼンタ３による影のデータとなる。尚、この減算回路５の出力データにはノイズが多少含まれていることも予想されるから、比較回路６を介することによって所定の閾値以下のデータ（ノイズ分）が除去されるようにしておく。
【００２４】
従って、比較回路６からの出力データはプレゼンタ３による影のデータであると理解される。
【００２５】
この比較回路６の出力データが加算回路７に入力される。一方、プロジェクタ１に入力されたデータも加算回路７に入力されているから、比較回路６からの出力が零でない場合には、加算回路７からの出力データは（プレゼンタ３による影のデータ）と（プロジェクタ１に入力された元データ）とが加算されたデータとなり、この加算データが投射型プロジェクタ１の表示制御回路８に入力手段で入力されるようにしておけば、プレゼンタ３には当たらない光の輝度をそのままに維持でき、かつ、プレゼンタ３のみに照射される光の輝度が低減されるようになる。すなわち、プレゼンタ３にとっては眩しさを感じることが無いようになり、にもかかわらず、観客（聴衆）は、映像を良好に見ることが出来る。
【００２６】
尚、更にアラーム手段を設け、比較回路６からの信号が入力されるようにしておけば、比較回路６の出力値が零でない場合には、プレゼンタ３或いはその他の者などがスクリーン２の領域内に侵入した場合、アラームが報知されるように出来、注意を促すことが出来るようになる。
【００２７】
又、上記実施の形態では、減算回路や加算回路で構成した場合を説明したが、減算回路５の出力データをゲート回路に入力させ、プロジェクタ１に入力された元データに対してプレゼンタ３に当たる部分のみの輝度を低下させるようにしても良い。
【００２８】
【発明の効果】
プレゼンタがプロジェクタとスクリーンとの間に位置した場合、プレゼンタにとっては眩しさが減じられ、かつ、観客（聴衆）側にとっては映像を良好に見ることが出来、見難いものとならない。
【図面の簡単な説明】
【図１】プレゼンテーションでの概略説明図
【図２】本発明の要部を説明する為の説明図
【図３】プレゼンテーションシステムのブロック図
【符号の説明】
１      投射型プロジェクタ
２      スクリーン
３      プレゼンタ
４      カメラ
５      減算回路
６      比較回路
７      加算回路
【図１】
0003914728.tif 000002
【図２】
0003914728.tif 000003
【図３】
0003914728.tif 000004